(57)【特許請求の範囲】
【請求項１】
セットフレーム（１４）の両端に設けられるサイドプレート（１６）に巻取パイプ（１８）の両端が回転可能に支持され、スクリーン（２０）の一端が巻取パイプに巻取り及び巻解き可能に連結されたロールスクリーン用隙間防止装置において、
セットフレームに着脱可能に取付けられる取付部本体（２８）と、取付部本体に揺動可能に支持され巻取パイプの長さに対応する幅方向の長さを持つカバー材（３０）とを備え、取付部本体はセットフレームに設けられた溝部（１４ａ，１４ｂ）に係止する係止部（２８ａ，２８ｂ）を有し、カバー材は一部が巻取パイプまたは巻取パイプに巻取られたスクリーンに接触しているとともに、正面から見たときに巻取パイプの上下方向の少なくとも一部を覆い隠すことを特徴とするロールスクリーン用隙間防止装置。
【請求項２】
カバー材はその端部が少なくとも巻取パイプの下端まで延びており、化粧カバーを兼用することを特徴とする請求項１記載のロールスクリーン用隙間防止装置。
【請求項３】
カバー材は、巻取パイプよりも幅方向に延びて、サイドプレートの少なくとも一部を覆い隠すことを特徴とする請求項１または２記載のロールスクリーン用隙間防止装置。
【請求項４】
カバー材は、巻取パイプよりも上方方向に延びて、セットフレームの少なくとも一部を覆い隠すことを特徴とする請求項１ないし３のいずれか１項に記載のロールスクリーン用隙間防止装置。
【請求項５】
取付部本体は、巻取パイプよりも前方に突出するアーム部（２８ｄ）を備えており、カバー材は、アーム部の先端に揺動可能に軸支されることを特徴とする請求項１ないし４のいずれか１項に記載のロールスクリーン用隙間防止装置。
【請求項６】
取付部本体は、セットフレームに離間して複数個取付けられることを特徴とする請求項１ないし５のいずれか１項に記載のロールスクリーン用隙間防止装置。
【発明の詳細な説明】
【技術分野】
【０００１】
本発明は、ロールスクリーンの巻取パイプとセットフレームとの間の隙間を塞ぐためのロールスクリーン用隙間防止装置に関する。
【背景技術】
【０００２】
かかる従来のロールスクリーン用隙間防止装置としては、特許文献１に記載されるものが知られている。
【０００３】
これに示されるものは、枠体の両端に巻取軸を回転可能に支持し、その巻取軸にスクリーンを巻取るようにし、枠体と巻取軸との間の隙間にスクリーンの全幅に亘って隙間防止部材を配設しており、隙間防止部材は、その基端縁を枠体に回動可能に支持するとともに、その先端縁部を垂下させて巻取軸の周面上に当接させている。
【０００４】
これによって、スクリーンの昇降に伴って巻取軸の巻径は変化するが、隙間防止部材が巻径の変化に合わせて回動して変位し、先端縁部が常に巻取軸の周面上に当接するようにして、枠体と巻取軸との間の隙間を塞ぎ、そこからの光漏れを防止するようにしている。
【先行技術文献】
【特許文献】
【０００５】
【特許文献１】実公平０４−４８３１６号公報
【発明の概要】
【発明が解決しようとする課題】
【０００６】
しかしながら、特許文献１のものでは、隙間防止部材を回転可能に支持することができるようにセットフレームとなる枠体を加工しなければならないため、専用の枠体が必要となり、既存の製品の枠体を用いることが困難であるという問題がある。
【０００７】
本発明はかかる課題に鑑みなされたもので、既存の製品にも簡単に適用することができて、ロールスクリーンの隙間を防ぐことができるロールスクリーン用隙間防止装置を提供することをその目的とする。
【課題を解決するための手段】
【０００８】
前述した目的を達成するために、本発明は、セットフレームの両端に設けられるサイドプレートに巻取パイプの両端が回転可能に支持され、スクリーンの一端が巻取パイプに巻取り及び巻解き可能に連結されたロールスクリーン用隙間防止装置において、
セットフレームに着脱可能に取付けられる取付部本体と、取付部本体に揺動可能に支持され巻取パイプの長さに対応する幅方向の長さを持つカバー材とを備え、カバー材は一部が巻取パイプまたは巻取パイプに巻取られたスクリーンに接触しているとともに、正面から見たときに巻取パイプの上下方向の少なくとも一部を覆い隠すことを特徴とする。
【０００９】
また、カバー材はその端部が少なくとも巻取パイプの下端まで延びており、化粧カバーを兼用することを特徴とする。
【００１０】
また、カバー材は、巻取パイプよりも幅方向に延びて、サイドプレートの少なくとも一部を覆い隠すことを特徴とする。
【００１１】
また、カバー材は、巻取パイプよりも上方方向に延びて、セットフレームの少なくとも一部を覆い隠すことを特徴とする。
【００１２】
また、取付部本体は、巻取パイプよりも前方に突出するアーム部を備えており、カバー材は、アーム部の先端に揺動可能に軸支されることを特徴とする。
【００１３】
また、取付部本体は、セットフレームに離間して複数個取付けられることを特徴とする。
【発明の効果】
【００１４】
本発明によれば、カバー材は取付部本体を介してセットフレームに着脱自在であるため、特殊なセットフレームを用意することなく、既存の製品のセットフレームに取付けることができる。カバー材を取付けることにより、セットフレームと巻取パイプとの隙間をカバー材が覆うため、この隙間からの光漏れを防止することができる。また、カバー材が不要な場合には、簡単に取外すことができる。
【図面の簡単な説明】
【００１５】
【図１】本発明に係る隙間防止装置をロールスクリーンに実施した状態を示す側断面図である。
【図２】隙間防止装置を取付ける前のロールスクリーンの状態を示す側断面図である。
【図３】隙間防止装置を取付けたロールスクリーンの正面図である。
【図４】隙間防止装置を取付けたロールスクリーンの背面図である。
【図５】巻取パイプのスクリーンの巻径に対応してカバー材が揺動する状態を示す側断面図である。
【図６】取付部本体のセットフレームからの取外し手順の１を示す側断面図である。
【図７】取付部本体のセットフレームからの取外し手順の２を示す側断面図である。
【図８】図３のＡ−Ａ断面図であり、隙間防止装置取付後の効果を示す側断面図である。
【図９】隙間防止装置取付前の課題を示す側断面図である。
【図１０】第２の実施形態の隙間防止装置を備えたロールスクリーンの側断面図である。
【発明を実施するための形態】
【００１６】
（第１の実施形態）
以下、図面を用いて本発明の実施形態を説明する。
【００１７】
本発明にかかる隙間防止装置は図２に示すような既存のロールスクリーン１０に取付けることができるものであり、このロールスクリーン１０は、ブラケット１２により図示していない窓枠等に取付けられて幅方向に延びるセットフレーム１４と、セットフレーム１４の両端に設けられるサイドプレート１６と、サイドプレート１６に両端が回転可能に支持される巻取パイプ１８と、巻取パイプ１８に一端が巻取り及び巻解き可能に連結されるスクリーン２０と、スクリーン２０の他端に連結されるウエイトバー２２と、ウエイトバー２２の長手方向中央位置に垂下され、これを下方に引っ張り可能なプルコード２４と、を備える。尚、プルコード２４の代わりに、またはプルコード２４に加えて、巻取パイプ１８の側端部に設けられた操作プーリと操作プーリに巻き掛けられた操作チェーンを備えることも可能である。
【００１８】
セットフレーム１４の前後端部には略Ｔ字状に上方に突出した突出部が設けられており、この略Ｔ字状の突出部によって形成される外側の溝部１４ｃ及び１４ｄに、ブラケット１２の前後端部に設けられる掛止部１２ａ及び１２ｂが嵌め合わされて、セットフレーム１４は、ブラケット１２に対して着脱可能に取付けられている。
【００１９】
本発明に係る第１の実施形態の隙間防止装置２６は、図１、図３及び図４に示すように、ロールスクリーン１０のセットフレーム１４の上部から巻取パイプ１８の前方にかけて配設される。詳細には、隙間防止装置２６は、ブラケット１２とは幅方向にずれた位置にてセットフレーム１４に着脱可能に取付けられる複数の取付部本体２８と、取付部本体２８に揺動可能に支持されるカバー材３０と、を備える。
【００２０】
各取付部本体２８は、後方に突出する後部係止部２８ａと、取付部本体２８の前後方向途中位置にあり、前後方向に摺動可能な前部係止部２８ｂと、前部係止部２８ｂと後部係止部２８ａとの間に配設され、前部係止部２８ｂを常時前方に摺動させて前部係止部２８ｂと後部係止部２８ａを互いに引き離すように付勢するばね２８ｃと、前側で下方に一度垂下した後、前方へさらに突出するアーム部２８ｄと、アーム部２８ｄの先端に形成された略円柱形状の支持軸部２８ｅと、を有する。後部係止部２８ａはセットフレーム１４の後端部の略Ｔ字状の突出部によって形成される内側の後部溝部１４ａに着脱可能に嵌め合わされ、前部係止部２８ｂはセットフレーム１４の前端部の略Ｔ字状の突出部の内側の前部溝部１４ｂに着脱可能に嵌め合わされる。ばね２８ｃによって後部係止部２８ａと前部係止部２８ｂとが互いに引き離されるように押圧されるため、これらが後部溝部１４ａ及び前部溝部１４ｂから容易に脱落することが防止されている。
【００２１】
カバー材３０は、巻取パイプ１８の長さに対応した幅方向の長さを持っており、その上方に略円柱状の軸受け凹部３０ａが形成されている。軸受け凹部３０ａは取付部本体２８の支持軸部２８ｅに嵌まり合い、カバー材３０が揺動可能に支持される。カバー材３０の幅方向の長さは、巻取パイプ１８の長さよりもやや短くすることも可能であるが、好ましくは、巻取パイプ１８とほぼ同じ長さか、後述のように巻取パイプ１８より少し長くなっているとよい。
【００２２】
取付部本体２８に支持されたカバー材３０の軸受け凹部３０ａよりも上方は、ブラケット１２の高さ位置まで延在して、取付部本体２８を覆っており、軸受け凹部３０ａよりも下方は巻取パイプ１８に全て巻取られた状態のスクリーン２０の最下端を覆う位置まで延在する。また、カバー材３０の軸受け凹部３０ａより下方の部分は、前方に若干膨らんだ形状を有している。
【００２３】
好ましくは、カバー材３０は、取付部本体２８に支持された状態で、下方が後側に倒れこむ回転方向に常時付勢されるように重心が設定されているとよく、これによって、図５中実線及び一点鎖線で示すように、巻取パイプ１８に巻取られているスクリーン２０の巻径の変化に対応して、カバー材３０はその一部が巻取パイプ１８に巻取られているスクリーン２０の外周に常時接触するように前後方向に揺動することができる。
【００２４】
次に、この隙間防止装置２６の作用について説明する。
【００２５】
図２に示すように、既存のロールスクリーンであっても、巻取パイプ１８にスクリーン２０が全て巻取られている場合は、隙間防止装置２６が取付けられていなくても、巻取パイプ１８に巻取られているスクリーン２０の外周とセットフレーム１４との間の隙間３２がウエイトバー２２によって塞がれているため、光漏れが防止されている。しかし、図９に示すように、スクリーン２０を下降させると、ウエイトバー２２が巻取パイプ１８よりも下方に位置するため、巻取パイプ１８に巻取られているスクリーン２０の外周または巻取パイプ１８の外周と、セットフレーム１４との間に隙間３２ができる。このため、外部から光３４が照射すると、この隙間３２から室内に光３４が差し込むことになり、図９中Ｃで示す光漏れが発生する。
【００２６】
しかしながら、本実施形態の場合、図８に示すように、スクリーン２０に当たる光３４はこれによって遮断されることはもとより、巻取パイプ１８に巻取られているスクリーン２０の外周または巻取パイプ１８の外周と、セットフレーム１４との間に形成される隙間３２がカバー材３０によって塞がれているため、光３４がカバー材３０によって遮断され、光漏れが防止される。
【００２７】
また、カバー材３０は、セットフレーム１４に離間して取付けられる取付部本体２８によって、セットフレーム１４に離間して支持されており、且つ取付部本体２８の前方へ突出するアーム部２８ｄによってセットフレーム１４の前側に配置されるために、セットフレーム１４によってその長さの制約をうけないで済む。そのために、図３及び図４に示すように、巻取パイプ１８よりもその長さを長くすることで、巻取パイプ１８とサイドプレート１６との間の隙間及びサイドプレート１６自体をも覆うことが可能である。
【００２８】
また、カバー材３０は、光漏れを防止するのみならず、巻取パイプ１８を覆い隠すために、化粧カバーとしても機能し、ロールスクリーン１０の意匠性を向上させることができる。特に、カバー材３０の表面にデザイン性のある色調を施したりすることにより、より一層、意匠性を向上させることができる。
【００２９】
この隙間防止装置２６は既存のロールスクリーンに簡単に取付け、または取外すことができる。取外す際には、図６に示すように、まず、ばね２８ｃの弾性力に抗して、取付部本体２８の後部係止部２８ａを図６中矢印Ａで示す前方に押圧する。この際、取付部本体２８の前部係止部２８ｂは、セットフレーム１４の前部溝部１４ｂに嵌め合わされたままであるため、前部係止部２８ｂ以外の取付部本体２８が前方に移動する。これにより、後部係止部２８ａがセットフレーム１４の後部溝部１４ａから離隔する。そして、図７に示すように、前部係止部２８ｂを支点として後部係止部２８ａを図７中矢印Ｂで示す上方に回動させる。これにより、まず後部係止部２８ａが、続いて前部係止部２８ｂがセットフレーム１４から離脱する。このようにして、隙間防止装置２６をセットフレーム１４から簡単に取外すことができる。
【００３０】
（第２の実施形態）
図１０は、本発明の第２の実施形態である。この実施形態では、第１の実施形態のカバー材３０に比べてカバー材３０の上下方向の長さが短く、カバー材３０の先端が巻取パイプ１８に、あるいは巻取パイプ１８に巻取られたスクリーン２０の外周に常時当接するようにしたものであり、カバー材３０は、巻取パイプ１８の一部あるいは巻取パイプ１８に巻取られたスクリーン２０の外周の一部を覆い隠す。この場合においても、カバー材３０によって隙間３２を塞ぐために、光漏れを防止することができる。その他の構成及び作用は第１の実施形態と同様であるため、説明を省略する。
【符号の説明】
【００３１】
１４  セットフレーム
１６  サイドプレート
１８  巻取パイプ
２０  スクリーン
２６  隙間防止装置
２８  取付部本体
２８ｄ  アーム部
３０  カバー材
【図１】
0005910929.tif 000002
【図２】
0005910929.tif 000003
【図３】
0005910929.tif 000004
【図４】
0005910929.tif 000005
【図５】
0005910929.tif 000006
【図６】
0005910929.tif 000007
【図７】
0005910929.tif 000008
【図８】
0005910929.tif 000009
【図９】
0005910929.tif 000010
【図１０】
0005910929.tif 000011